(57)【特許請求の範囲】
【請求項１】
本体の打ち込み側の先端部が本体の中間部より縮小された寸法で角形を成している板状の本体と、前記本体の末端に斜めに設けた段差部と、前記段差部の他端に連結した略Ｌ字状のストッパーとからなることを特徴とする屋根材の縁切り部材。
【請求項２】
本体の打ち込み側の先端部が本体の中間部より縮小された寸法で角形を成している板状の本体と、前記本体の末端に屈曲して連結した内角が鋭角である略Ｌ字状のストッパーからなることを特徴とする屋根材の縁切り部材。
【請求項３】
本体の打ち込み側の先端部が本体の中間部より縮小された寸法で円形を成している板状の本体と、前記本体の末端の垂直方向に取り付けた板状のストッパーと、前記本体の下面に取り付けられた前記本体の先端部方向に向かって細くなる傾斜面を有する１以上の楔形状とからなることを特徴とする屋根材の縁切り部材。
【請求項４】
本体の打ち込み側の先端部が本体の中間部より縮小された寸法で円形を成しているとともに、先端部が先端ほど薄くなるようなテーパー形状である板状の本体と、前記本体の末端の垂直方向にあるストッパーと、前記本体の下面に設けた前記本体の先端部方向に向かって高さが低くなる１以上の楔とからなることを特徴とする屋根材の縁切り部材。
【請求項５】
本体の打ち込み側の先端部が本体の中間部より縮小された寸法で円形を成しているとともに、先端部が先端ほど薄くなるようなテーパー形状である板状の本体と、前記本体の末端の垂直方向に形成されたストッパーと、前記本体の下面に設けられた先端方向に行くに従って高さが低くなるような複数の凸部とからなることを特徴とする屋根材の縁切り部材。
【請求項６】
本体の打ち込み側の先端部が本体の中間部より縮小された寸法で角形を成しているとともに、先端部が先端ほど薄くなるようなテーパー形状であり、末端から先端に向け空間部が設けられた本体５ｂと、前記本体の末端に連結した略Ｌ字状のストッパーとからなることを特徴とする屋根材の縁切り部材。
【請求項７】
先端部が先端ほど細くなるようなテーパー形状である末端で各々連結された複数の棒状材に前記先端方向に向かって細くなる複数個のラッパ形状の円錐台を設けた本体と、前記先端の反対方向の前記本体の末端部にほぼ垂直に設けたストッパーとからなることを特徴とする屋根材の縁切り部材。
【請求項８】
本体の打ち込み側の先端部が本体の中間部より縮小された寸法で円形を成しているとともに、先端部が先端ほど薄くなるようなテーパー形状である板状の本体と、前記先端の反対方向の本体の末端部にほぼ垂直に連結したストッパーとからなり、前記本体の下面には先端とストッパーとを結ぶ平行方向に少なくとも１以上の凹部が設けられている
ことを特徴とする屋根材の縁切り部材。
【発明の詳細な説明】
【技術分野】
【０００１】
本発明は、屋根材を補修を目的に再塗装する時、屋根材の重ね合せ部における縁切りに関する。
【背景技術】
【０００２】
従来、住宅の屋根材は、野地板に等間隔に重ね合わせ配列し設置される。屋根材は長期間経過すると表面が劣化するので、補修を目的に定期的に、再塗装が行われる。
【０００３】
しかしながら、屋根材を再塗装すると、屋根材の水平方向の重ね合わせ部が塗膜で密閉され、屋根材の縦方向の繋ぎ合わせ部の隙間から侵入した雨水等は水平方向の下方部に排出されることなく、水溜まりをつくる。この水溜まりが長期間放置されると、野地板を腐蝕、破損させ、天井の雨漏りにも繋がる。
【０００４】
前記のような問題をなくすため、屋根材の重ね合わせ部に補修を目的とした塗装をした時形成される塗膜を切断するため、カッターナイフとか楔等で塗膜を切断するという縁切りが行われていた。
【０００５】
更に、塗膜の切断を積極的に行うため、屋根材の重ね合わせ部に、楔形状をした板を打ち込み空間を形成した状態で再塗装を行い、再塗装後楔形状の板を取り外し、重ね合わせ部の塗膜の形成を切断する縁切りの方法もある。
【０００６】
しかしながら、従来のカッターナイフ、楔等で塗膜の縁切りを行う作業は塗膜が強固に固まっていたりしている為、多くの労力を費やす上、再塗装膜面を傷つけたり、屋根材をよく破損させるケースも散見される。
【０００７】
又、屋根材の重ね合わせ部に楔形状の板を打ち込み、空間をつくる縁切りの方法においても、長期間経過すると、屋根材の反り、だれ、自重により屋根材の水平方向の重ね合せ部の一部が密着し、雨水等が溜まるケースが発生する。
【特許文献１】特開平１１−４４０７２
【非特許文献１】大日本塗料株式会社 カタログ Ｅ−５８６６．００．９▲１２▼（Ｎ）（９０．５）カラーベスト塗り替え用塗料
【発明の開示】
【発明が解決しようとする課題】
【０００８】
本発明は、以上のような欠点に鑑み、屋根材の補修を目的に再塗装をした後、屋根材の重ね合わせ部の縁切りを効果的に行うため、重ね合わせ部に常時空間を形成する縁切り部材を提供することを目的としている。
【０００９】
本発明の前記ならびにその他の目的と新規な特徴は次の説明を添付図と照らし合わせて読むと、より完全に明らかになるだろう。ただし、図面はもっぱら解説のためのものであって、本発明の技術的範囲を限定するものではない。
【課題を解決するための手段】
【００１０】
上記目的を達成するために、本発明は、本体５の打ち込み側の先端部２が本体５の中間部より縮小された寸法で角形を成している板状の本体５と、前記本体５の末端２ｆに斜めに設けた段差部３と、前記段差部３の他端に連結した略Ｌ字状のストッパー４とからなることを特徴とする屋根材の縁切り部材１の構成、
本体５の打ち込み側の先端部２が本体５の中間部より縮小された寸法で角形を成している板状の本体５と、前記本体５の末端２ｆに屈曲して連結した内角が鋭角である略Ｌ字状のストッパー４ａからなることを特徴とする屋根材の縁切り部材１ａの構成、
本体５の打ち込み側の先端部２ａが本体５の中間部より縮小された寸法で円形を成している板状の本体５と、前記本体５の末端２ｆの垂直方向に取り付けた板状のストッパー４ｂと、前記本体５の下面に取り付けられた前記本体５の先端部２ａ方向に向かって細くなる傾斜面１０を有する１以上の楔形状３（ａ）、３（ｂ）とからなることを特徴とする屋根材の縁切り部材１ｂの構成、
本体５の打ち込み側の先端部２ｂが本体５の中間部より縮小された寸法で円形を成しているとともに、先端部２ｂが先端２ｅほど薄くなるようなテーパー形状である板状の本体５と、前記本体５の末端の垂直方向にあるストッパー４ｂと、前記本体５の下面に設けた前記本体５の先端部２ｂ方向に向かって高さが低くなる１以上の楔３（ｃ）、３（ｄ）とからなることを特徴とする屋根材の縁切り部材１ｃの構成、
本体５の打ち込み側の先端部２ｂが本体５の中間部より縮小された寸法で円形を成しているとともに、先端部２ｂが先端２ｅほど薄くなるようなテーパー形状である板状の本体５と、前記本体５の末端の垂直方向に形成されたストッパー４ｂと、前記本体５の下面に設けられた先端方向に行くに従って高さが低くなるような複数の凸部７（ａ）、７（ｂ）、７（ｃ）とからなることを特徴とする屋根材の縁切り部材１ｄの構成、
本体５の打ち込み側の先端部２ｃが本体５の中間部より縮小された寸法で角形を成しているとともに、先端部２ｃが先端２ｅほど薄くなるようなテーパー形状であり、末端２ｆから先端２ｅに向け空間部９が設けられた本体５ｂと、前記本体５の末端２ｆに連結した略Ｌ字状のストッパー４とからなることを特徴とする屋根材の縁切り部材１ｅの構成、
先端部が先端２ｅほど細くなるようなテーパー形状である末端で各々連結された複数の棒状材６に前記先端２ｅ方向に向かって細くなる複数個のラッパ形状の円錐台８（ａ）、８（ｂ）、８（ｃ）・・・を設けた本体５ａと、前記先端２ｅの反対方向の前記本体５ａの末端部にほぼ垂直に設けたストッパー４ｃとからなることを特徴とする屋根材の縁切り部材１ｆの構成、
及び本体５の打ち込み側の先端部２ｂが本体５の中間部より縮小された寸法で円形を成しているとともに、先端部２ｄが先端２ｅほど薄くなるようなテーパー形状である板状の本体５と、前記先端２ｅの反対方向の本体５の末端部にほぼ垂直に連結したストッパー４ｂとからなり、前記本体５の下面には先端２ｅとストッパーとを結ぶ平行方向に少なくとも１以上の凹部１３が設けられていることを特徴とする屋根材の縁切り部材１ｇの構成とした。
【発明の効果】
【００１１】
以上の説明から明らかなように、本発明にあっては次に列挙する効果が得られる。
（１）屋根材の補修を目的に再塗装をした後、屋根材の重ね合わせ部に打ち込んだまま使用される縁切り部材であって、板状の本体５と、前記本体の下面に少なくとも一箇所以上の楔形状、楔、または凸部と、本体の端部の上方向に形成されたストッパーとで縁切り部材を構成しているので、屋根材の重ね合わせ部に打ち込み、抜き取ることなくそのまま使用することで常時重ね合わせ部に空間が出来る。したがって、屋根材の繋ぎ合わせ部から侵入してくる雨水等は空間部から排出される。このため、野地板が腐蝕し破損に至り、雨漏れするという懸念は解消される。
【００１２】
（２）前記（１）によって、縁切り部材の底面には、楔形状、楔、または凸部が少なくとも一箇所以上設けられているので、一度打ち込まれた縁切り部材は楔作用により抜け出すことはない。
【００１３】
（３）前記（１）、（２）の効果の他、塗装後、縁切り部材を屋根材の重ね合わせ部に打ち込むに当たり縁切り部材の先端にテーパーが付いていること、垂直形状のストッパーがあるため本個所をたたくため打ち込みが容易であり、打ち込み過ぎの懸念もなくなる。
【００１４】
（４）請求項６からは前記（１）、（２）の他、本発明では、本体の上、下面間に空間を設けているので、屋根材の重ね合わせ部に打ち込むとき、空間部が容易に圧縮され、軽く打ち込むことが出来る。万一、打ち込んだ後、人がその上に乗ることがあっても、空間部の変形で屋根材を破損さすことはない。
【００１５】
（５）請求項８からは、前記（１）の通り付設する垂直のストッパーをたたくため、打ち込み易い外、次の効果がある。縦方向の繋ぎ合わせ部から侵入した雨水等が下方向に流れてきた時、縁切り部材下面の凹部に空間部が形成されているため、縁切り部材の下面と屋根材表面部の密着個所に雨水等が溜まることなく排出される。このため、重ね合わせ部に雨水等が溜まることはないので、野地板に雨水等が侵入し腐蝕、破損を起こし雨漏れ等に繋がる懸念はなくなる。
【発明を実施するための最良の形態】
【００１６】
以下、図面に示す実施するための最良の形態により本発明を詳細に説明する。
【００１７】
図１は、本発明における第１の実施の形態を示す正面図である。図２は、本発明における第１の実施の形態を示す平面図である。屋根材の縁切り部材１は、本体５と、ストッパー４と、前記本体５とストッパー４を連結する段差部３からなる。本体５は屋根材の重ね合わせ部に先に装入される部分で、本体５は板状をなし、金属、非金属を用いることができる。
【００１８】
屋根材の外に出ている部分を含む他端部は打ち込みと、適正な位置決めのためのＬ字状のストッパー４から構成されている。本体５の打ち込み側の先端部２は、打ち込みを容易にするため、本体５の中間部より縮小された寸法で角形あるいは円形を成している。
【００１９】
段差部３は、本体５の末端２ｆと、ストッパー４の先端４ｅとを段差を付けて斜めに連結する。本体５の下面には、引っ掛かりが形成され、屋根材の重ね合わせ部１１に空間部を形成し縁切りを常時おこなう。又、屋根材の縁切り部材１の離脱を防止する。
【００２０】
図３は、本発明における第２の実施の形態を示す正面図である。図４は、本発明における第２の実施の形態を示す平面図である。屋根材の縁切り部材１ａは、板状の本体５と、略Ｌ字状（内角（図中破線両矢印）が鋭角状）のストッパー４ａとからなり、前記本体５の末端２ｆと略Ｌ字状のストッパー４ａの端部が屈曲して連結され、屈曲部３ａを形成する。
【００２１】
次に、図５から図１４に示す本発明を実施するための異なる実施の形態につき説明する。尚、これらの発明を実施するための異なる形態の説明にあたって、前記発明の第１の実施をするための最良の形態と同一構成部分には同一符号を付して重複する説明を省略する。
【００２２】
図５から図１０に示す本発明における第３〜第５の実施の形態において、前記本発明の第１の実施するための最良の形態と主に異なる点は、屋根材の縁切り部材１ａ〜１ｄは主に樹脂材を用い、先端部２、２ａ、２ｂを屋根材の重ね合わせ部に装入し易くするため、テーパー形状にしていること、下面には大小の楔形状３（ａ）、３（ｂ）、楔３（ｃ）、３（ｄ）、凸部７（ａ）、７（ｂ）、７（ｃ）のような突起を順次設けている点である。
【００２３】
図５は、本発明における第３の実施の形態を示す正面図である。図６は、本発明における第３の実施の形態を示す透視平面図である。屋根材の縁切り部材１ｂは、先端部２ａがテーパー形状に形成された本体５と、前記本体５の末端２ｆの垂直方向に取り付けた板状のストッパー４ｂと、前記本体５の下面に形成された本体５の先端部２ａ方向に向かって細くなる傾斜面１０を有する楔形状３（ａ）、３（ｂ）からなる。
【００２４】
図７は、本発明における第４の実施の形態を示す正面図である。図８は、本発明における第４の実施の形態を示す透視平面図である。屋根材の縁切り部材１ｃは、先端部２ｂが先端２ｅほど薄くなるようなテーパー形状である本体５と、前記本体５の末端の垂直方向に取り付けた板状のストッパー４ｂと、前記本体５の低部に形成された本体５の先端部２ｂ方向に向かって高さが低くなる２組の楔３（ｃ）、３（ｄ）からなる。図７、図８に示す本発明は、前記本体５の下面に分離独立した楔３（ｃ）、３（ｄ）を複数個設けた点が特徴である。
【００２５】
図９は、本発明における第５の実施の形態を示す正面図である。図１０は、本発明における第５の実施の形態を示す透視平面図である。屋根材の縁切り部材１ｄは、先端部２ｂが先端２ｅほど薄くなるようなテーパー形状に形成された本体５と、前記本体５の末端の垂直方向に形成された板状のストッパー４ｂと、本体５の低部に形成された円柱状の複数の凸部７（ａ）、７（ｂ）、７（ｃ）からなる。凸部は、先端部２ｂに行くに従って、高さが低くなり、本体５及び凸部全体として楔形状となる。図９、図１０に示す本発明は、本体５の下面に分離独立した凸部７（ａ）、７（ｂ）、７（ｃ）を設けた点が特徴である。
【００２６】
図１１、図１２に示す本発明における第６の実施の形態において、前記本発明における第２〜５の実施の形態と主に異なる点は、本体５の内部に空間部９を設けている点である。本体５の上に荷重がかかった時、本個所がバネ性を持つため、装入時には軽荷重で装入が可能で、装着後は全体としての楔形状の作用で離脱の防止が出来る。また、屋根材の重ね合わせ部に装着後、その上部を足等で踏みつけた時にも、空間部９の変形により、屋根材の亀裂、破損が防止できる。
【００２７】
図１１は、本発明における第６の実施の形態を示す正面図である。図１２、本発明における第６の実施の形態を示す透視平面図である。屋根材の縁切り部材１ｅは、先端部が先端２ｅほど細くなるようなテーパー形状に形成され、末端２ｆから先端２ｅに向け空間部９が設けられた本体５ｂと、前記本体５の末端２ｆに連結した略Ｌ字状のストッパー４からなる。
【００２８】
図１３は、本発明における第７の実施の形態を示す正面図である。図１４は、本発明における第７の実施の形態を示す平面図である。屋根材の縁切り部材１ｆは、先端部が先端２ｅほど細くなるようなテーパー形状である末端で各々連結された複数の棒状材６に前記先端２ｅ方向に向かって細くなる複数個のラッパ形状の円錐台８（ａ）、８（ｂ）、（８ｃ）を設けた本体５ａと、前記先端２ｅの反対方向の前記本体５ａの末端部にほぼ垂直に設けたストッパー４ｃとからなる。
【００２９】
図１３、図１４は本発明における第７の実施の形態において、前記本発明の第２〜５の実施形態と主に異なる点は、本体５ａが少なくとも１本以上の棒状材６からなり、前記棒状材６の周囲には複数個のラッパ形状の円錐台８（ａ）、８（ｂ）、８（ｃ）を設けている点である。
【００３０】
図１５は、本発明における第８の実施の形態を示す透視正面図である。図１６は、本発明における第８の実施の形態に示す透視平面図である。屋根材の縁切り部材１ｇは、先端部２ｄが先端２ｅほど薄くなるようなてテーパー形状である板状の本体５と、前記先端２ｅの反対方向の本体５の末端部にほぼ垂直に連結したストッパー４ｂからなり、前記本体５の下面に先端２ｅとストッパー４ｂとを結ぶ平行方向に少なくとも１以上の凹部１３、１３、１３・・・が設けられている。
【００３１】
図１５、図１６は本発明における第８の実施の形態において、第２〜５の実施の形態と異なる点は、屋根材の縁切り部材１ｇの下面に複数の凹部１３を設けている点である。
本凹部１３の投影面は屋根材２５の表面とは非接触となっている。このため、屋根材２５の縦方向の繋ぎ合わせ部１４から侵入してきた雨水等は、屋根材２５の下方向に流れ、凹部１３をなす溝に流れ込み、下方に排出される。
【００３２】
第２から第８の実施の形態では装入しやすく、離脱しないと言う作用効果を狙ったものである。
【００３３】
尚、これまで図１から図１６の屋根材の縁切り部材１ａ〜１ｇにはストッパー４〜４ｃがついていたが、屋根材の縁切り部材１ａから１ｇを屋根部材の端面と同位置に打ち込むように冶具等で調整し装入すれば、ストッパー４から４ｃがなくても前記の作用効果が得られる。
【００３４】
以上、図１から図１６までに縁切り部材の構成につき説明した。以下に、図１から図１６の装着と適用方法につき説明する。
【００３５】
前記図１から図１６の屋根材の縁切り部材１ａから１ｇは、図１７に示す屋根材２５の補修を目的に再塗装した後、屋根材の縁切り部材１ａから１ｇを、手動あるいは自動組み込み機により、ストッパー４から４ｃに荷重をかけ、図１８の如く屋根材２５の重ね合わせ部１１に打ち込み、重ね合わせ部１１に空間部ができ、縁切りが行われる。
【００３６】
本発明では、屋根材の縁切り部材１ａから１ｇは、打ち込み装入したら抜き取ることなく装着したままとする。このため、常時屋根材２５の重ね合わせ部１１には空間が確保され、縁切り状態が保持される。
【００３７】
従来の技術では再塗装後、縁切りがカッターナイフ等で手動あるいはスペーサーを装入し、再塗装後抜き取る方法で行われていた。前記の従来の方法だと、再塗装した後、長期間経過すると、例えば、平屋根材の幅９１０ｍｍの一部が密着し、毛細管現象により雨水等が野地板２３に侵入し、野地板２３を腐蝕、破損からの雨漏りが懸念される。
【００３８】
しかし、本発明の屋根材の縁切り部材１ａから１ｇは、常時装着され縁切りを行うようになっているので、前記のような従来技術の懸念は解消される。
【００３９】
図９は、屋根材２５の重ね合せ部１１に屋根材の縁切り部材１ａから１ｇを打ち込む位置の例を示したものである。屋根材の縁切り部材１ａから１ｇは屋根材２５の合わせ部の位置１（ａ）、１（ｂ）の如く装着してもよく、また、位置１（ｃ）、１（ｄ）あるいは位置１（ｃ）、１（ｄ）、１（ｅ）のように配置してもよい。
【図面の簡単な説明】
【００４０】
【図１】本発明における第１の実施の形態を示す正面図である。
【図２】本発明における第１の実施の形態を示す平面図である。
【図３】本発明における第２の実施の形態を示す正面図である。
【図４】本発明における第２の実施の形態を示す平面図である。
【図５】本発明における第３の実施の形態を示す正面図である。
【図６】本発明における第３の実施の形態を示す透視平面図である。
【図７】本発明における第４の実施の形態を示す正面図である。
【図８】本発明における第４の実施の形態を示す透視平面図である。
【図９】本発明における第５の実施の形態を示す正面図である。
【図１０】本発明における第５の実施の形態を示す透視平面図である。
【図１１】本発明における第６の実施の形態を示す正面図である。
【図１２】本発明における第６の実施の形態を示す透視平面図である。
【図１３】本発明における第７の実施の形態を示す正面図である。
【図１４】本発明における第７の実施の形態を示す平面図である。
【図１５】本発明における第８の実施の形態を示す透視正面図である。
【図１６】本発明における第８の実施の形態に示す透視平面図である。
【図１７】屋根材の再塗装した側面断面図である。
【図１８】屋根材の重ね合わせ部への屋根材の縁切り部材を装着した図である。
【図１９】屋根の平面図である。
【符号の説明】
【００４１】
１：屋根材の縁切り部材
１ａ：屋根材の縁切り部材
１ｂ：屋根材の縁切り部材
１ｃ：屋根材の縁切り部材
１ｄ：屋根材の縁切り部材
１ｅ：屋根材の縁切り部材
１ｆ：屋根材の縁切り部材
１ｇ：屋根材の縁切り部材
１（ａ）、１（ｂ）、１（ｃ）、１（ｄ）：位置
２：先端部
２ａ：先端部
２ｂ：先端部
２ｃ：先端部
２ｄ：先端部
２ｅ：先端
２ｆ：末端
３：段差部
３ａ：屈曲部
３（ａ）、３（ｂ）：楔形状
３（ｃ）、３（ｄ）：楔
４：ストッパー
４ａ：ストッパー
４ｂ：ストッパー
４ｃ：ストッパー
４ｅ：装入端
５：本体
５ａ：本体
５ｂ：本体
６：棒状材
７（ａ）、７（ｂ）、７（ｃ）：凸部
８（ａ）、８（ｂ）、８（ｃ）：円錐台
９：空間部
１１：重ね合わせ部
１３：凹部
１４：繋ぎ合わせ部
２２：屋根
２３：野地板
２４：再塗装膜
２５：屋根材
【図１】
0003956012.tif 000002
【図２】
0003956012.tif 000003
【図３】
0003956012.tif 000004
【図４】
0003956012.tif 000005
【図５】
0003956012.tif 000006
【図６】
0003956012.tif 000007
【図７】
0003956012.tif 000008
【図８】
0003956012.tif 000009
【図９】
0003956012.tif 000010
【図１０】
0003956012.tif 000011
【図１１】
0003956012.tif 000012
【図１２】
0003956012.tif 000013
【図１３】
0003956012.tif 000014
【図１４】
0003956012.tif 000015
【図１５】
0003956012.tif 000016
【図１６】
0003956012.tif 000017
【図１７】
0003956012.tif 000018
【図１８】
0003956012.tif 000019
【図１９】
0003956012.tif 000020